(57)【要約】【課題】指のみならず手首等の指以外の部分でもスイッチ部への入力を行うことが可能な医療用装置を提供すること。【解決手段】医療用装置１は、基部２と、基部２に対してスライド移動可能な移動部４と、移動部４の移動に連動して入力の受付を行うスイッチ部５と、を備え、移動部４の上端には、略水平方向に延在する押下部４ａが形成されている。移動部４は、基部２の前面に配置された矩形板状のパネル部４１を有している。押下部４ａは、パネル部４１の上縁部４１ａである。【選択図】図３
2019068928.tif 000002
【特許請求の範囲】
【請求項１】
基部と、
前記基部に対してスライド移動可能な移動部と、
前記移動部の移動に連動して入力の受付を行うスイッチ部と、を備え、
前記移動部の上端には、略水平方向に延在する押下部が形成されていることを特徴とする医療用装置。
【請求項２】
前記移動部は、前記基部の前面に配置された矩形板状のパネル部を有し、
前記押下部は、前記パネル部の上縁部であることを特徴とする請求項１に記載の医療用装置。
【請求項３】
前記パネル部は、所定の情報を表示する表示部を有していることを特徴とする請求項２に記載の医療用装置。
【請求項４】
前記移動部及び前記基部は、前記移動部の移動量を制限する移動制限部を有することを特徴とする請求項１から請求項３のうちのいずれか１項に記載の医療用装置。
【請求項５】
前記基部の前面には、上下方向に延設されたレール部を有し、
前記移動部の後面には、前記レール部に摺接して前記移動部の上下動を案内するガイド部を有し、
前記ガイド部は、前記基部の内部と点接触または線接触するガイド突起部を有することを特徴とする請求項１から請求項４のうちのいずれか１項に記載の医療用装置。
【請求項６】
前記移動部は、前記パネル部の下縁部に連設され該下縁部から前方に向けて突出する第２押下部を有していることを特徴とする請求項２または請求項３に記載の医療用装置。
【請求項７】
前記押下部に垂直な鉛直面で該押下部を切断した場合の断面の頂角が鋭角を成していることを特徴とする請求項１から請求項６のうちのいずれか１項に記載の医療用装置。
【請求項８】
歯科用テーブル上への載置及び前記歯科用テーブル上からの搬出が可能であることを特徴とする請求項１から請求項７のうちのいずれか１項に記載の医療用装置。
【請求項９】
前記スイッチ部は、電源をＯＮ・ＯＦＦする所定の操作パターン以外の操作パターンで操作された場合、機能モードの切り替えが可能であることを特徴とする請求項１から請求８のうちのいずれか１項に記載の医療用装置。
【発明の詳細な説明】
【技術分野】
【０００１】
本発明は、医療用装置に関する。
【背景技術】
【０００２】
一般に、歯の根管治療に使用される歯科用根尖位置検出装置の器体には、電源スイッチ、バッテリーチェックスイッチ及びオンオフスイッチ等のスイッチ装置と、音量調整ネジと、メータと、が設けられている（例えば、特許文献１参照）。また、その器体には、ホルダ及び片電極が電線を介して接続されている。
【０００３】
特許文献１に記載の歯科用根尖位置検出装置は、ホルダや片電極を操作しながらスイッチ装置を操作する場合、スイッチ装置が術者から離れた位置にある器体に設置されているため、操作性が悪いという問題点があった。
【０００４】
このような問題点を解消して、歯科治療具の操作を術者の施療位置から容易に行えるようにしたものとしては、例えば、特許文献２に記載された歯科診療器（歯科用診療装置）が知られている。その歯科診療器は、根管長測定器、スケーラ、レジン硬化器等の歯科用診療装置であって、無線式コントローラ、あるいは、有線式コントローラに電源スイッチを設けて、遠隔操作で電源操作を可能にしている。その歯科診療器の歯科診療器本体には、操作スイッチと、パワーボリウム調整手段と、パワー表示部と、が設けられている。
【０００５】
このほか、スイッチに直接手や指等を触れずにスイッチ操作できるようにしたものとしては、例えば、特許文献３に記載された駆動制御装置が知られている。その駆動制御装置は、指や肘や腕等が接近したのを発光素子と受光素子とから成る非接触式のフォトスイッチで検知して、制御回路を駆動させる装置である。
【先行技術文献】
【特許文献】
【０００６】
【特許文献１】特公平６−６９４６２号公報（図４）
【特許文献２】特開２００２−２１９１３７号公報（図１（Ａ）、（Ｂ））
【特許文献３】特開昭６１−１７２１１２号公報（特許請求の範囲）
【発明の概要】
【発明が解決しようとする課題】
【０００７】
しかし、特許文献２に記載の歯科用診療装置は、歯科用ハンドピースで治療を行いながら、治療を行っている手の指、または、他方の手の指でコントローラの電源スイッチを操作しなければならない。このため、そのコントローラの電源スイッチを操作する場合は、衛生面を気にしながら使用しなければならないという問題点があった。
【０００８】
また、特許文献３に記載の駆動制御装置は、非接触式スイッチを用いているので、電源状態を常に監視することが不可欠となる。このため、非接触式スイッチを使用した装置は、バッテリの消費が激しく、高い頻度での電池交換等を行う必要があるため、不便をきたすという問題点があった。このようなことから、医療用装置では、機械式スイッチを採用することが望まれている。
【０００９】
そこで、本発明は、指のみならず手首等の指以外の部分でもスイッチ部への入力を行うことが可能な医療用装置を提供することを課題とする。
【課題を解決するための手段】
【００１０】
前記課題を解決するため、本発明に係る医療用装置は、基部と、前記基部に対してスライド移動可能な移動部と、前記移動部の移動に連動して入力の受付を行うスイッチ部と、を備え、前記移動部の上端には、略水平方向に延在する押下部が形成されていることを特徴とする。
【発明の効果】
【００１１】
本発明は、指のみならず手首等の指以外の部分でもスイッチ部への入力を行うことが可能な医療用装置を提供することができる。
【図面の簡単な説明】
【００１２】
【図１】本発明の実施形態に係る医療用装置の使用状態の一例を示す斜視図である。
【図２】医療用装置の一例及び表示部の表示パターンの一例を示す斜視図である。
【図３】医療用装置の一例を示す分解斜視図である。
【図４】移動部の後面を示す斜視図である。
【図５】医療用装置の側面図である。
【図６】本発明の実施形態に係る医療用装置の変形例を示す斜視図である。
【発明を実施するための形態】
【００１３】
まず、図１〜図５を参照して、本発明の実施形態に係る医療用装置を説明する。
なお、本実施形態では、図１に示す医療用装置１において、表示部４２側を前方向、基部２側を後方向として説明する。
【００１４】
≪医療用装置≫
図１に示す医療用装置１は、例えば、心拍計、血圧測定、パルスオキシメータ等の医療機器や、歯科の診断・治療用の根管長測定装置１０、スケーラ、レジン硬化器等に用いられる医療機器である。図２に示すように、医療用装置１は、基部２と、基部２に設けられた基板３（図３参照）と、基部２に対してスライド移動可能な移動部４と、移動部４の移動に連動して開閉するスイッチ部５（図３参照）と、根管長測定用の電極６１ａ，６２ａを有するプローブ６と、を備えている。
なお、医療用装置１は、前記した基部２と、基板３（図３参照）と、移動部４と、スイッチ部５（図３参照）と、を備えて診療を行う装置であればよく、機種、使用用途等は特に限定されない。以下、医療用装置１の一例として、根管長測定装置１０の場合を例に挙げて説明する。
【００１５】
その場合、プローブ６は、様々な種類のものがあるが、特に限定しない。プローブ６は、その一例を挙げると、根管長測定クリップホルダ６１と、対向電極クリップホルダ６２等を備えて構成されている。
【００１６】
≪根管長測定装置≫
図２に示す根管長測定装置１０は、歯の根管を治療する際に、根管治療に先立って行われる根管長の測定を行う測定装置である。根管長測定装置１０は、根管長測定器本体である基部２と、電子部品等を搭載した基板３と、基板３に設けられたスイッチ部５と、スイッチ部５を作動させるための移動部４と、基部２にリード線によって接続されたプローブ６と、を備えて成る（図１及び図３参照）。
【００１７】
図１に示すように、根管長測定装置１０は、測定時に、歯科用治療ユニット１００のアーム１１０の先端に設けた歯科用テーブル１２０上に基部２及びプローブ６を載置して使用される。根管長測定装置１０は、歯科用テーブル１２０上への載置及び歯科用テーブル１２０上からの搬出が可能である。なお、歯科用テーブル１２０は、歯科診療に使用するものであればよく、構造、形状、大きさ等は特に限定されない。
【００１８】
≪基部≫
基部２は、樹脂製の根管長測定器本体である。基部２は、例えば、歯科用テーブル１２０上に載置することが可能な大きさに形成されている。図２に示すように、基部２は、略矩形板状の基部本体２ａと、基部本体２ａの背面側下部に形成された台座部２ｂと、基部本体２ａの下端から前側に延出した延出部２ｃと、を主に一体形成して成る。このため、基部２は、その側面視して略逆Ｔ字状に形成されている。
【００１９】
図３に示すように、基部本体２ａ及びパネル部４１は、水平に形成された延出部２ｃ及び第２押下部４ｂに対して後方向に角度θ２（図５参照）傾斜して形成されている。基部本体２ａの前側には、外縁部２ｄと、支持片２ｅと、ネジ螺着部２ｆと、レール部２ｇと、レール突起部２ｈと、バネ部材保持部２ｉと、バネ載置部２ｊと、バネ押部２ｋと、係止片２ｍと、雌部２ｎ(移動制限部)と、電池蓋設置口２ｏと、が一体形成されている。
【００２０】
外縁部２ｄは、基部本体２ａの前側外周部を縁取るように形成された断面視して凸状の突起から成る。
支持片２ｅは、基板３を支持する突出片である。支持片２ｅは、基部本体２ａの前面の左右上部にそれぞれ突出形成されて、先端に係止爪を有している。支持片２ｅは、基端側に基板３の上縁が係止されるように形成されている。
【００２１】
ネジ螺着部２ｆは、基板３を基部２にネジ止めするためのネジＮが螺着される雌ネジ部である。ネジ螺着部２ｆは、基部本体２ａの前側下端部の左右からそれぞれ突出形成された略円筒状の突起から成る。
【００２２】
レール部２ｇは、押下部４ａまたは第２押下部４ｂを押圧操作して移動部４を上下動させた際に、ガイド部４ｅを摺動自在に支持して、移動部４の上下動を案内する部位である。レール部２ｇは、基部本体２ａの前面の左右に上下方向にそれぞれ延設された断面視して凸板状の突起から成る。レール部２ｇの上端及び下端の外側には、上下一対のレール突起部２ｈが形成されている。
【００２３】
レール突起部２ｈは、レール部２ｇの外側から外方向に突出した正面視して略台形形状の突起から成る。上下のレール突起部２ｈ間には、上下一対のガイド突起部４ｆ（図４参照）が移動部４の操作ストロークＬ１（図５参照）だけ上下方向に移動可能に係合している。
【００２４】
バネ部材保持部２ｉは、例えば、板バネから成るバネ部材７を保持する部位である。そのバネ部材７は、移動部４（パネル部４１）を上方向に付勢する。バネ部材保持部２ｉは、円筒形状の左右一対の突起と、一対の突起から対向する方向に互い延出した平板状突起とから成るバネ載置部２ｊと、バネ載置部２ｊに載置したバネ部材７を上側から支持するバネ押部２ｋと、で構成されている。つまり、バネ部材保持部２ｉは、バネ載置部２ｊと、バネ押部２ｋと、によってバネ部材７の両端部を挟持している。
【００２５】
係止片２ｍは、移動部４の雄部４ｄ（図４参照）を上下動可能に支持する係止爪を有する突出片である。係止片２ｍは、支持片２ｅと同様に、移動部４の押下部４ａまたは第２押下部４ｂを押圧操作して操作ストロークＬ１（図５参照）だけ上下方向に移動しても、雄部４ｄ（図４参照）から離脱せずに係止状態が維持されるように形成されている。
【００２６】
雌部２ｎは、バネ部材７と係止片２ｍとの間の空間である。雌部２ｎは、移動部４に設けられた雄部４ｄが上下方向に操作ストロークＬ１（図５参照）だけ移動可能に配置されている。つまり、移動部４の雄部４ｄ（図４参照）及び基部２の雌部２ｎは、移動部４の移動量を制限する移動制限部の機能と、上下方向の抜け止め防止機能とを兼備している。
【００２７】
図２に示すように、台座部２ｂは、後傾に配置された略板状の基部本体２ａを歯科用テーブル１２０（図１参照）等に上に載置した状態に保持するための部位である。台座部２ｂの後部に形成された電池蓋設置口２ｏ（図３参照）に電池蓋（図示省略）を設けて開閉することで、基部本体２ａに収容されている複数の乾電池（図示省略）を交換可能になっている。
【００２８】
延出部２ｃは、移動部４の下端から前側に延出した第２押下部４ｂを、上下動可能に下側から支持する部位である。延出部２ｃは、基部本体２ａの下端に一体形成された水平な厚板状の部位から成る。
【００２９】
≪基板≫
図３に示すように、基板３は、根管長測定装置１０の電子回路を構成する電子部品（図示省略）や、スイッチ部５等が実装された電子回路基板である。基板３は、左右下端部にネジ挿通孔３ａを有する矩形のプリント基板から成る。基板３は、上縁を支持片２ｅに係止し、左右下端部のネジ挿通孔３ａにネジＮを挿通してネジ螺着部２ｆに螺着することで、基部２に固定されている。
【００３０】
≪移動部≫
図３に示すように、移動部４は、基部２及び基板３に対して上下動可能に配置された移動部材である。移動部４は、基部本体２ａ、基板３及び延出部２ｃに対向して配置されたパネル部４１と、パネル部４１の前面に設けられた表示部４２と、を主に備えて構成されている。移動部４は、移動部４を下方向に押圧して操作ストロークＬ１（図５参照）だけ下降させることによって、スイッチ部５をＯＮ、ＯＦＦさせる操作部材の機能を備えている。移動部４の操作部位は、上端に略水平方向に延在した押下部４ａと、パネル部４１の下縁部４１ｂに連設され下縁部４１ｂから前方に向けて突出する第２押下部４ｂと、である。
【００３１】
図４に示すように、移動部４の背面には、例えば、一例を挙げると、雄部４ｄと、ガイド部４ｅと、ガイド突起部４ｆと、スイッチ作動部４ｇと、が一体に突出形成されている。
雄部４ｄは、係止片２ｍの先端に形成された係止爪が操作ストロークＬ１（図５参照）だけ上下動可能に係止される突起である。
【００３２】
ガイド部４ｅは、上下方向に延設された横断面視して凸形状の突起を、レール部２ｇ（図３参照）の左右に配置して、押下部４ａまたは第２押下部４ｂを押圧操作したときに、移動部４の上下動をガイドする部位である。ガイド部４ｅの上端及び下端の外側には、基部２の内部と点接触または線接触する上下一対のガイド突起部４ｆが形成されている。
【００３３】
ガイド突起部４ｆは、ガイド部４ｅの外側から外方向に突出した正面視して略台形形状の突起から成る。
スイッチ作動部４ｇは、押下部４ａまたは第２押下部４ｂを押圧操作して移動部４が下降したときに、左右一対のスイッチ部５をそれぞれ押圧する押圧部位である。スイッチ作動部４ｇは、基部２の後面に沿って横方向に延設された縦断面視して凸形状の突起から成る。
【００３４】
図３に示すパネル部４１は、基部２の前面に配置された矩形板状の移動部筐体を形成する樹脂製部材から成る。パネル部４１は、基部本体２ａに沿って後傾に形成された縦板部４１ｃと、縦板部４１ｃの下端から前側に水平に延設された平板部４１ｄと、を有して、側面視して略Ｌ字状に形成されている。
【００３５】
押下部４ａは、パネル部４１の上端に略水平方向に延在して、パネル部４１の上縁部４１ａ全体である。このため、押下部４ａは、操作部位が広いので、指はもちろんのこと、指以外の甲、手首、腕、肘でも操作可能になっている。
図５に示すように、押下部４ａに垂直な鉛直面で、押下部４ａを切断した場合の断面の頂角θ１は、例えば、６０度で鋭角を成している。このため、押下部４ａは、側面視して三角形に形成されて、押圧操作する部位が稜線状（線状）に形成されている。
【００３６】
第２押下部４ｂは、パネル部４１の下部に形成された平板部４１ｄの上面全体から成る。このため、第２押下部４ｂは、図３に示すように、厚板状に形成されて、押圧操作する部位が広くなっている。したがって、第２押下部４ｂは、指で操作し易くなっているが、指以外の部分でも操作可能である。第２押下部４ｂの中央部には、電源スイッチの操作部を示すマーク４１ｅが付記されている。
【００３７】
＜表示部＞
表示部４２は、根管長測定装置１０の測定結果等の所定の情報を表示するモニタである。表示部４２は、例えば、液晶パネルから成る。図２に示すように、表示部４２には、電源ＯＮ時に、例えば、報知手段を示すアイコン４２ａと、歯牙及び根管の概略図４２ｂと、電池の残量を示す電池のマーク４２ｃと、が表示される。また、プローブ６の電極６１ａ，６２ａの根尖位置は、根管長測定装置１０の表示部４２に表示される。根管長測定装置１０は、電極６１ａ，６２ａが根尖付近になると報知手段（図示省略）が作動するように構成されている。
【００３８】
≪スイッチ部≫
図３に示すように、スイッチ部５は、移動部４の移動に連動して入力の受付を行う左右一対のマイクロスイッチから成る。スイッチ部５は、例えば、押釦式のリミットスイッチから成り、基板３の表面側の下部に実装されている。
【００３９】
≪作用≫
次に、図１〜図５を参照して本実施形態に係る医療用装置１の作用を説明する。
【００４０】
根管長測定装置１０によって根管長を測定する場合は、まず、図１に示すように、根管長測定装置１０の基部２、及び、根管長測定クリップホルダ６１及び対向電極クリップホルダ６２を歯科用テーブル１２０上に載置する。
【００４１】
この場合、医療用装置１は、歯科用テーブル１２０上への載置及び歯科用テーブル１２０上からの搬出が可能である。
これにより、本発明は、歯科用テーブル１２０に根管長測定装置１０等の医療用装置１が標準装備されていないものに適用することができるため、利便性を向上させることができる。
【００４２】
次に、図１に示すように、対向電極クリップホルダ６２は、患者の口腔粘膜（口唇）等に電極６２ｂを引っ掛けるようにして取り付ける。そして、根管長測定クリップホルダ６１の測定針を、歯牙の根管内に挿入する。
続いて、移動部４の押下部４ａまたは第２押下部４ｂを押圧操作して、電源をＯＮさせる。例えば、押下部４ａを操作して電源をＯＮさせると、リード線を介して根管長測定クリップホルダ６１の電極６１ａに電気が供給される。すると、根管内に挿入した測定針の挿入深さから根管長を測定することができる。
【００４３】
この場合、図３に示すように、医療用装置１は、基部２と、基部２に対してスライド移動可能な移動部４と、移動部４の移動に連動して入力の受付を行うスイッチ部５と、を備え、移動部４の上端には、略水平方向に延在する押下部４ａが形成されている。
【００４４】
これにより、本発明の医療用装置１は、手首、腕、肘等の指以外の部分でも、略水平方向に延在する押下部４ａを容易に押下操作することができる。このため、本発明は、指のみならず手首等の指以外の部分でもスイッチ部５への入力を行うことが可能な医療用装置１を提供することができる。また、指でスイッチ部５への入力を行う必要が無いため、施術中にスイッチ部５への入力を行う場合でも、衛生が良好に保たれる結果、衛生面を気にする必要がなくなるので、作業性を向上させることができる。
【００４５】
この場合、移動部４は、基部２の前面に配置された矩形板状のパネル部４１を有し、押下部４ａは、パネル部４１の上縁部４１ａである。
これにより、スイッチ部５の操作部は、略水平方向に延在する押下部４ａとしてパネル部４１の上縁部４１ａを用いることができるため、容易に形成することができる。
【００４６】
また、図５に示すように、押下部４ａに垂直な鉛直面で該押下部４ａを切断した場合の断面の頂角θ１が鋭角を成している。
これにより、押下部４ａは、断面の頂角θ１が鋭角を成していることによって、稜線を形成して、上端部が線状に形成されている。このため、押下部４ａは、首、腕、肘等の指以外の部分で押下部４ａを押しても、線状部分を押圧操作することになるので、滑り難く、より確実に押圧操作することができる。
【００４７】
また、図３あるいは図４に示すように、基部２の前面には、上下方向に延設されたレール部２ｇを有し、移動部４の後面には、レール部２ｇに摺接して移動部４の上下動を案内するガイド部４ｅを有し、ガイド部４ｅは、基部２の内部と点接触または線接触するガイド突起部４ｆを有している。
これにより、医療用装置１は、基部２にレール部２ｇを設け、移動部４にガイド部４ｅを設けたことによって、移動部４を所定方向にスムーズに摺動させることができる。また、ガイド部４ｅは、基部２の内部と点接触または線接触するガイド突起部４ｆを有していることによって、移動部４の動きを滑らかにすることができる。
【００４８】
また、図５に示すように、移動部４は、パネル部４１の下縁部４１ｂに連設され該下縁部４１ｂから前方に向けて突出する第２押下部４ｂを有している。
これにより、第２押下部４ｂは、前方に向けて突出していることによって、平板状になっている。このため、指での押下が許容される場合には、第２押下部４ｂを使用者が押圧操作することで、スイッチ部５（図３参照）への入力をより容易に行うことができる。
【００４９】
また、移動部４及び基部２は、移動部４の移動量を制限する移動制限部（雌部２ｎ、雄部４ｄ）を有している。
これにより、移動部４及び基部２は、移動制限部を備えていることによって、移動部４を操作した際に移動部４が所定以上の距離を移動するのを抑制することができる。
【００５０】
この場合、第２押下部４ｂは、図３に示すように、面積が広い平板部４１ｄによって形成されていることによって、前記押下部４ａと同様、手首、腕、肘等の指以外の部分でも操作を行うことができるため、操作性がよい。
また、第２押下部４ｂの中央部には、電源スイッチを示すマーク４１ｅが付記されている。このため、第２押下部４ｂは、一般的なスイッチノブを相違する形状をしていても、スイッチ操作部であることを明示することができる。
【００５１】
また、図２に示すように、パネル部４１は、所定の情報を表示する表示部４２を有している。
これにより、表示部４２には、測定した根管長等の測定結果が表示される。このため、医療用装置１を使用する歯科医師等の術者は、表示部４２に表示された情報を参照しながらスイッチ部５（図３参照）への入力を行うことが可能となる。
【００５２】
このように、本発明の医療用装置１は、手首等の指以外の部分でもスイッチ操作をすることを可能にしたので、手に嵌めた手袋に接触しないようにして操作部である移動部４を容易に操作することができる。このため、衛生面を向上させて作業効率を向上させることができる。
【００５３】
［変形例］
なお、本発明は、前記実施形態に限定されるものではなく、その技術的思想の範囲内で種々の改造及び変更が可能であり、本発明はこれら改造及び変更された発明にも及ぶことは勿論である。次に、図６を参照して、本発明に係る医療用装置の変形例を説明する。なお、既に説明した構成は同じ符号を付してその説明を省略する。
【００５４】
図６は、本発明の実施形態に係る医療用装置の変形例を示す斜視図である。
前記実施形態では、図３に示すように、押下部４ａまたは第２押下部４ｂを押圧操作することで、移動部４全体を上下動させて、スイッチ部５を作動させる場合を説明したが、これに限定されるものではない。
【００５５】
図６に示すように、スイッチ部５を作動させる操作部材としての移動部４Ａは、基板３を介在して基部２Ａに装着したパネル部４１Ａの上縁部４１Ａａに上下動可能に配置した押下部４Ａａであってもよい。
【００５６】
この場合、パネル部４１Ａは、表示部４２を有する矩形板状のフロントケースから成る。パネル部４１Ａは、前面部位が略矩形板状に形成された基部２Ａに装着されて、側面視して板状に形成されている。
【００５７】
押下部４Ａａは、パネル部４１Ａの上縁部４１Ａａの左端部から右端部に亘って水平方向に延設された横方向に長い操作ノブから成る。押下部４Ａａは、パネル部４１Ａの上縁部４１Ａａに形成されたノブ設置孔４１Ａｂに上下動可能に係止されている。押下部４Ａａの下端部の左右には、左右一対のスイッチ部５（図３参照）が設置されている。押下部４Ａａは、スイッチ部５（図３参照）に内設された自動復帰バネ（図示省略）のバネ力、または、押下部４ａの下端部に配置した自動復帰バネ（図示省略）のバネ力で、自動復帰するように構成されている。このため、スイッチ部５は、押下部４Ａａの下端部の位置に合わせて、図３に示すスイッチ部５の設置位置よりも高い位置で基板３に実装される。
このようにしても、指以外の手首、腕、肘等で操作できるので、操作性を向上させることができる。
【００５８】
［その他の変形例］
例えば、医療用装置１の一例として、図１に示すうに、基部２等を歯科用テーブル１２０上に載置した場合を説明したが、配置する場所は特に限定されず、設置スペースがあればどこであってもよい。例えば、医療用装置１は、アシスタントテーブル、カートテーブル、汎用テーブル等の上に載置して使用してもよい。
【００５９】
また、前記した実施形態では、スイッチ部５は、電源のＯＮ／ＯＦＦのための電源スイッチとして使用しているが、これに限定されず、例えば、各種動作の切り替えのための操作スイッチとして使用してもよい。
また、図３では、スイッチ部５の一例として、左右一対のリミットスイッチを図示したが、これに限定されず、一つ及び３つ以上の複数のスイッチにより構成してもよい。
【００６０】
また、スイッチ部５は、電源をＯＮ・ＯＦＦする所定の操作パターン以外の操作パターンで操作された場合、機能モードの切り替えを可能にしたものであってもよい。
これにより、スイッチ部５は、操作部が１つであっても、操作パターンを変えることによって、電源のＯＮ・ＯＦＦを切り替える電源機能モードからそれ以外の機能モードに切り替えることが可能となる。
この場合、基板３に設けられた不図示の制御装置が、スイッチ部５の操作が通常操作とは異なる所定の操作パターンで操作されたことを判定すると、電源機能モードから他の機能モードに切り替えるように構成されている。
【００６１】
例えば、各種動作の切り替えの一例として、根管内側枝の位置を検出する機能モードや、表示部４２に表示される根尖までの距離の分割数を細かく設定する機能モード等が挙げられる。
【００６２】
これらの機能に切り替えるためのスイッチ部５の操作パターンとしては、前記操作スイッチのダブルクリック操作、半押し操作、長押し操作による機能の切り替え操作が挙げられる。
【符号の説明】
【００６３】
１      医療用装置
２，２Ａ  基部
２ｇ    レール部
２ｎ    雌部（移動制限部）
４，４Ａ  移動部
４ａ，４Ａａ  押下部
４ｂ    第２押下部
４ｄ    雄部（移動制限部）
４ｅ    ガイド部
４ｆ    ガイド突起部
５      スイッチ部
４１，４１Ａ  パネル部
４１ａ，４１Ａａ  上縁部
４１ｂ  下縁部
４２    表示部
１２０  歯科用テーブル
θ１    頂角
【図１】
2019068928.tif 000003
【図２】
2019068928.tif 000004
【図３】
2019068928.tif 000005
【図４】
2019068928.tif 000006
【図５】
2019068928.tif 000007
【図６】
2019068928.tif 000008
【手続補正書】
【提出日】平成30年8月6日(2018.8.6)
【手続補正１】
【補正対象書類名】特許請求の範囲
【補正対象項目名】請求項１
【補正方法】変更
【補正の内容】
【請求項１】
基部と、
前記基部に対してスライド移動可能な移動部と、
前記移動部の移動に連動して入力の受付を行うスイッチ部と、
前記基部の下部に形成された台座部と、
前記移動部を上方向に付勢するバネ部材と、
を備え、
前記移動部の上端には、略水平方向に延在する押下部が形成されていることを特徴とする医療用装置。
【手続補正２】
【補正対象書類名】明細書
【補正対象項目名】００１０
【補正方法】変更
【補正の内容】
【００１０】
前記課題を解決するため、本発明に係る医療用装置は、基部と、前記基部に対してスライド移動可能な移動部と、前記移動部の移動に連動して入力の受付を行うスイッチ部と、  前記基部の下部に形成された台座部と、前記移動部を上方向に付勢するバネ部材と、を備え、前記移動部の上端には、略水平方向に延在する押下部が形成されていることを特徴とする。
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
基部と、
前記基部に対してスライド移動可能な移動部と、
前記移動部の上下動に連動して開閉し、前記移動部が下降したときに押圧されてＯＮ、ＯＦＦさせられるスイッチ部と、
前記基部の下部に形成された台座部と、
前記移動部を前記スイッチ部を押圧しない位置である上方向に付勢するバネ部材と、
を備え、
前記移動部の上端には、略水平方向に延在する押下部が形成されていることを特徴とする医療用装置。
【請求項２】
前記移動部は、前記基部の前面に配置された矩形板状のパネル部を有し、
前記押下部は、前記パネル部の上縁部であることを特徴とする請求項１に記載の医療用装置。
【請求項３】
前記パネル部は、所定の情報を表示する表示部を有していることを特徴とする請求項２に記載の医療用装置。
【請求項４】
前記移動部及び前記基部は、前記移動部の上下方向の両方の移動量を制限する移動制限部を有することを特徴とする請求項１から請求項３のうちのいずれか１項に記載の医療用装置。
【請求項５】
前記基部の前面には、上下方向に延設されたレール部を有し、
前記移動部の後面には、前記レール部に摺接して前記移動部の上下動を案内するガイド部を有し、
前記ガイド部は、前記基部の内部と点接触または線接触するガイド突起部を有することを特徴とする請求項１から請求項４のうちのいずれか１項に記載の医療用装置。
【請求項６】
前記移動部は、前記パネル部の下縁部に連設され該下縁部から前方に向けて突出する第２押下部を有していることを特徴とする請求項２または請求項３に記載の医療用装置。
【請求項７】
前記押下部に垂直な鉛直面で該押下部を切断した場合の断面の頂角が鋭角を成していることを特徴とする請求項１から請求項６のうちのいずれか１項に記載の医療用装置。
【請求項８】
前記基部は、歯科用テーブル上への載置及び前記歯科用テーブル上からの搬出が可能な大きさに形成されていることを特徴とする請求項１から請求項７のうちのいずれか１項に記載の医療用装置。
【請求項９】
前記スイッチ部は、前記医療用装置を駆動させる電源をＯＮ・ＯＦＦする所定の操作パターン以外の操作パターンで操作された場合、電源のＯＮ・ＯＦＦを切り替える電源機能モードからそれ以外の機能モードの切り替えが可能であることを特徴とする請求項１から請求８のうちのいずれか１項に記載の医療用装置。
【手続補正２】
【補正対象書類名】明細書
【補正対象項目名】００１０
【補正方法】変更
【補正の内容】
【００１０】
前記課題を解決するため、本発明に係る医療用装置は、基部と、前記基部に対してスライド移動可能な移動部と、前記移動部の上下動に連動して開閉し、前記移動部が下降したときに押圧されてＯＮ、ＯＦＦさせられるスイッチ部と、前記基部の下部に形成された台座部と、前記移動部を前記スイッチ部を押圧しない位置である上方向に付勢するバネ部材と、を備え、前記移動部の上端には、略水平方向に延在する押下部が形成されていることを特徴とする。